【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
支持体および該支持体上に形成された感光層を有する電子写真感光体において、
該電子写真感光体の表面層が、下記式（１）で示される繰り返し構造単位αおよび下記式（２）で示される繰り返し構造単位βを有するフッ素原子含有オルガノポリシロキサンを含有し、
該フッ素原子含有オルガノポリシロキサンの末端の構造が、下記式（３）で示される構造γであり、
該フッ素原子含有オルガノポリシロキサンの重量平均分子量が、１００００以上５００００以下であり、
該表面層中の該フッ素原子含有オルガノポリシロキサンの含有率が、該表面層の全質量に対して２質量％以上１０質量％以下であり、
該表面層が、該フッ素原子含有オルガノポリシロキサンとは異なる、下記式（４）で示されるシロキサン構造単位および下記式（５）で示されるシロキサン構造単位を有するポリカーボネート樹脂もしくはポリエステル樹脂をさらに含有し、
該ポリカーボネート樹脂もしくはポリエステル樹脂の全質量に対する下記式（４）で示されるシロキサン構造単位および下記式（５）で示されるシロキサン構造単位の質量構成比率が、１０質量％以上６０質量％以下である
ことを特徴とする電子写真感光体。
【化１】
2007199686.tif 000001
（式（１）〜（３）中、Ｒ１はフッ素原子を含有する１価の有機基を示し、Ｒ２−Ｒ６は、それぞれ独立に、置換または無置換の１価の炭化水素基を示し、Ｒ７は、ポリスチレン系残基を有する１価の有機基を示す。）
【化２】
2007199686.tif 000002
（式（４）および（５）中、Ｒ８−Ｒ１６は、それぞれ独立に、水素原子、ハロゲン原子、置換もしくは無置換のアルキル基またはアリール基を示し、ｍおよびｎは、繰り返し数を表す平均値を示す。）
【請求項２】
前記感光層が電荷発生層および電荷輸送層を有し、該電荷輸送層が前記表面層であり、該電荷輸送層が、結着樹脂、電荷輸送物質、前記フッ素原子含有オルガノポリシロキサン、ならびに、前記式（４）で示されるシロキサン構造単位および前記式（５）で示されるシロキサン構造単位を有するポリカーボネート樹脂もしくはポリエステル樹脂を含有する請求項１に記載の電子写真感光体。
【請求項３】
前記式（４）で示されるシロキサン構造単位および前記式（５）で示されるシロキサン構造単位を有するポリカーボネート樹脂もしくはポリエステル樹脂の含有率が、前記表面層の全質量に対して０．１質量％以上５質量％以下である請求項１または２に記載の電子写真感光体。
【請求項４】
請求項１〜３のいずれかに記載の電子写真感光体と、帯電手段、現像手段およびクリーニング手段からなる群より選ばれた少なくとも１つの手段を一体に支持し、電子写真装置に着脱自在であることを特徴とするプロセスカートリッジ。
【請求項５】
前記プロセスカートリッジが少なくとも前記クリーニング手段を有し、前記クリーニング手段がクリーニングブレードを有する請求項４に記載のプロセスカートリッジ。
【請求項６】
請求項１〜３のいずれかに記載の電子写真感光体、帯電手段、露光手段、現像手段、転写手段およびクリーニング手段を有することを特徴とする電子写真装置。
【請求項７】
前記クリーニング手段がクリーニングブレードを有する請求項６に記載の電子写真装置。
【手続補正２】
【補正対象書類名】明細書
【補正対象項目名】０００７
【補正方法】変更
【補正の内容】
【０００７】
本発明は、支持体および該支持体上に形成された感光層を有する電子写真感光体において、
該電子写真感光体の表面層が、下記式（１）で示される繰り返し構造単位αおよび下記式（２）で示される繰り返し構造単位βを有するフッ素原子含有オルガノポリシロキサンを含有し、
該フッ素原子含有オルガノポリシロキサンの末端の構造が、下記式（３）で示される構造γであり、
該フッ素原子含有オルガノポリシロキサンの重量平均分子量が、１００００以上５００００以下であり、
該表面層中の該フッ素原子含有オルガノポリシロキサンの含有率が、該表面層の全質量に対して２質量％以上１０質量％以下であり、
該表面層が、該フッ素原子含有オルガノポリシロキサンとは異なる、下記式（４）で示されるシロキサン構造単位および下記式（５）で示されるシロキサン構造単位を有するポリカーボネート樹脂もしくはポリエステル樹脂をさらに含有し、
該ポリカーボネート樹脂もしくはポリエステル樹脂の全質量に対する下記式（４）で示されるシロキサン構造単位および下記式（５）で示されるシロキサン構造単位の質量構成比率が、１０質量％以上６０質量％以下である
ことを特徴とする電子写真感光体である。
【手続補正３】
【補正対象書類名】明細書
【補正対象項目名】０００９
【補正方法】変更
【補正の内容】
【０００９】
（式（１）〜（３）中、Ｒ１はフッ素原子を含有する１価の有機基を示し、Ｒ２−Ｒ６は、それぞれ独立に、置換または無置換の１価の炭化水素基を示し、Ｒ７は、ポリスチレン系残基を有する１価の有機基を示す。）
【手続補正４】
【補正対象書類名】明細書
【補正対象項目名】００１１
【補正方法】変更
【補正の内容】
【００１１】
（式（４）および（５）中、Ｒ８−Ｒ１６は、それぞれ独立に、水素原子、ハロゲン原子、置換もしくは無置換のアルキル基またはアリール基を示し、ｍおよびｎは、繰り返し数を表す平均値を示す。）
【手続補正５】
【補正対象書類名】明細書
【補正対象項目名】００１４
【補正方法】変更
【補正の内容】
【００１４】
式（１）で示される繰り返し構造単位αおよび式（２）で示される繰り返し構造単位βを有し、末端の構造が式（３）で示される構造γであるフッ素原子含有オルガノポリシロキサンについて説明する。
式（１）においてＲ１で示されるフッ素原子を含有する１価の有機基とは、例えば、一般式：
−（ＣＨ２）ｐ（ＣＦ２）ｑＦ
（式中、ｐは２以上の整数であり、ｑは１以上の整数である。）
で表されるフッ素原子を含有する１価の有機基、一般式：
−（ＣＨ２）ｐＣＦ（ＣＦ３）２
（式中、ｐは２以上の整数である。）
で表されるフッ素原子を含有する１価の有機基、一般式：
−（ＣＨ２）ｐＣ（ＣＦ３）２（ＣＦ２）ｑＣＦ３
（式中、ｐは２以上の整数であり、ｑは１以上の整数である。）
で表されるフッ素原子を含有する１価の有機基、一般式：
−（ＣＨ２）ｐＣＨ（ＣＦ３）（ＣＨ２）ｑＣＦ（ＣＦ３）２
（式中、ｐは２以上の整数であり、ｑは１以上の整数である。）
で表されるフッ素原子を含有する１価の有機基、および一般式：
−（ＣＨ２）ｐＯ（ＣＨ２）ｒＣＦ（ＣＦ３）２
（式中、ｐは２以上の整数であり、ｒは２以上の整数である。）
で表されるフッ素原子を含有する１価の有機基からなる群より選択される少なくとも１種の基である。
【手続補正６】
【補正対象書類名】明細書
【補正対象項目名】００３９
【補正方法】変更
【補正の内容】
【００３９】
次に、式（４）で示されるシロキサン構造単位および（５）で示されるシロキサン構造単位を有する樹脂について説明する。この樹脂は、シロキサン構造単位を有するポリカーボネート樹脂もしくはポリエステル樹脂であり、シロキサン構造単位に含まれるポリシロキサン基は、ポリアルキルシロキサン、ポリアリールシロキサン、ポリアルキルアリールシロキサン等より誘導されるものである。ポリシロキサン基の具体例としては、ポリジメチルシロキサン、ポリジエチルシロキサン、ポリジフェニルシロキサン、ポリメチルフェニルシロキサン等が挙げられる。これらは２種以上併用することも可能である。また式（４）および（５）におけるＲ８−Ｒ１６は、それぞれ独立に、水素原子、ハロゲン原子、置換もしくは無置換のアルキル基またはアリール基を示し、ｍおよびｎは、繰り返し数を表す平均値を示す。さらに、この樹脂の全質量に対する式（４）で示されるシロキサン構造単位および（５）で示されるシロキサン構造単位の質量構成比率は、１０質量％以上６０質量％以下である。ここでの質量構成比率とは、式（４）で示されるシロキサン構造単位および（５）で示されるシロキサン構造単位から構成された部分の全質量が、樹脂全体の質量に対してどれだけの割合を占めているのかを、質量％で示したものである。例えば、下記構造式（２４）で示される樹脂におけるシロキサン構造単位の質量構成比率は、樹脂の分子量１５２０８に対して、シロキサン構造単位部分（破線内部分）の分子量は６０８０であるので、４０質量％である。
【手続補正７】
【補正対象書類名】明細書
【補正対象項目名】００４２
【補正方法】変更
【補正の内容】
【００４２】
また、本発明のシロキサン構造単位を有するポリカーボネート樹脂もしくはポリエステル樹脂の表面層中の含有率は、０．１質量％以上５質量％以下であることが好ましい。０．１質量％未満では、スジ状画像不良の改善効果発現が困難となり易く、５質量％を超えると、フッ素原子含有オルガノポリシロキサンの添加効果を阻害するために、やはりスジ状画像不良の改善効果を発現することが困難となる可能性がある。なお、シロキサン構造単位を有するポリカーボネート樹脂もしくはポリエステル樹脂の主骨格を構成する材料は、表面層を構成する他の材料との相溶性や、製造時における成膜性の点から、ビスフェノール化合物であることが好ましく、樹脂を製造する際の重合形態としては、ランダム共重合形態またはブロック共重合形態が好ましい。
【手続補正８】
【補正対象書類名】明細書
【補正対象項目名】００４３
【補正方法】変更
【補正の内容】
【００４３】
以下、本発明におけるシロキサン構造単位を有するポリカーボネート樹脂もしくはポリエステル樹脂の構成材料の代表例を示すが、本発明はこれらに限定されるものではない。
【手続補正９】
【補正対象書類名】明細書
【補正対象項目名】００６６
【補正方法】変更
【補正の内容】
【００６６】
また、電荷輸送層が表面層である場合は、電荷輸送層には式（１）で示される繰り返し構造単位αおよび式（２）で示される繰り返し構造単位βを有し、末端の構造が式（３）で示される構造γであるフッ素原子含有オルガノポリシロキサンと、式（４）で示されるシロキサン構造単位および式（５）で示されるシロキサン構造単位を有するポリカーボネート樹脂もしくはポリエステル樹脂が用いられる。式（１）で示される繰り返し構造単位αおよび式（２）で示される繰り返し構造単位βを有し、末端の構造が式（３）で示される構造γであるフッ素原子含有オルガノポリシロキサンの使用量は、表面層の全質量に対して、２質量％以上１０質量％以下である。また、式（４）で示されるシロキサン構造単位および式（５）で示されるシロキサン構造単位を有するポリカーボネート樹脂もしくはポリエステル樹脂の使用量は、表面層の全質量に対して、０．１質量％以上５質量％以下であることが好ましい。
【手続補正１０】
【補正対象書類名】明細書
【補正対象項目名】００７４
【補正方法】変更
【補正の内容】
【００７４】
保護層が設けられる場合には、この層に式（１）で示される繰り返し構造単位αおよび式（２）で示される繰り返し構造単位βを有し、末端の構造が式（３）で示される構造γであるフッ素原子含有オルガノポリシロキサンと、式（４）で示されるシロキサン構造単位および式（５）で示されるシロキサン構造単位を有するポリカーボネート樹脂もしくはポリエステル樹脂が用いられる。式（１）で示される繰り返し構造単位αおよび式（２）で示される繰り返し構造単位βを有し、末端の構造が式（３）で示される構造γであるフッ素原子含有オルガノポリシロキサンの使用量は、保護層の全質量に対して、２質量％以上１０質量％以下である。また、式（４）で示されるシロキサン構造単位および式（５）で示されるシロキサン構造単位を有するポリカーボネート樹脂もしくはポリエステル樹脂の使用量は、保護層の全質量に対して、０．１質量％以上５質量％以下であることが好ましい。